(57)【要約】【課題】一例として、床等の設置対象に電池をより多く設置できるようにする。【解決手段】実施形態の蓄電池装置は、複数の容器と、電池と、を備えた。前記複数の容器は、積み重ねられた。前記電池は、各前記容器に収容された。【選択図】図１
2014175170.tif 000002
【特許請求の範囲】
【請求項１】
積み重ねられた複数の容器と、
各前記容器に収容された電池と、
を備えた蓄電池装置。
【請求項２】
前記容器に収容された電池を有し前記容器毎に設けられた電気回路と、
前記電気回路に設けられ、前記電気回路を遮断可能な回路遮断部と、
を備え、
前記容器は、当該容器の下端部と当該容器の上端部とに亘って設けられ当該容器の外面に含まれる亘面を有し、
前記回路遮断部は、前記亘面に設けられた請求項１に記載の蓄電池装置。
【請求項３】
前記容器に収容され当該容器に収容された前記電池の状態を検出する検出部と、
前記容器毎に設けられ、当該容器に収容された前記検出部に電気的に接続された第一接続部と、
を備え、
前記亘面は、第一面と、前記第一面の反対側の第二面と、前記第一面と前記第二面とに亘って設けられた第三面と、を有し、
前記回路遮断部と前記第一接続部とは、前記第一面と前記第二面と前記第三面とのうちの同一の面に設けられた請求項２に記載の蓄電池装置。
【請求項４】
最上段の前記容器の上端部に積まれ当該容器の上端部を覆った覆部材と、
前記覆部材の上面に設けられ、各前記電気回路に電気的に接続された第二接続部と、
前記覆部材の上面に設けられ、各前記検出部に前記第一接続部を介して電気的に接続された第三接続部と、
を備えた請求項３に記載の蓄電池装置。
【請求項５】
前記容器は、リフターの昇降する支持部の着脱が前記同一の面側から可能な、第一被支持部を有した請求項３または４に記載の蓄電池装置。
【請求項６】
最下段の前記容器が置かれた載置部材を備え、
前記載置部材は、前記第一被支持部に対する前記支持部の着脱可能方向と同じ方向から前記支持部の着脱が可能な第二被支持部を有した請求項５に記載の蓄電池装置。
【請求項７】
前記電池に設けられたコネクタと、
前記電池に設けられたコネクタに着脱可能なコネクタと、
を備え、
前記電池に設けられたコネクタと前記着脱可能なコネクタとは、前記検出部と前記第一接続部との間に伝わる信号と、前記電池の電力と、を相互間で伝える請求項３ないし５のいずれか一項に記載の蓄電池装置。
【請求項８】
前記容器は、当該容器の下端部に設けられた第一連結部と、当該容器の上端部に設けられ前記複数の容器の積み重ね方向で前記第一連結部と対面した第二連結部と、を有し、
相対的に上段と下段との関係の二つの前記容器において、前記下段の前記容器の前記第二連結部と前記上段の前記容器の前記第一連結部とが、前記容器の積み重ね方向で重ねられ、
重ねられた前記第一連結部と前記第二連結部とが、前記第二連結部に設けられた第一ねじと、当該第一ねじの上方から当該第一ねじに結合された第二ねじと、によって結合され、
最下段から数えて奇数段目の前記容器に設けられた前記第一ねじと、最下段から数えて偶数段目の前記容器に設けられた前記第一ねじとは、前記容器の積み重ね方向で相互に重ならない位置に設けられ、
前記第一連結部には、当該第一連結部に重ねられた前記第二連結部に設けられた前記第一ねじと前記容器の積み重ね方向で重なり、前記第二ねじが挿入された第一開口部が設けられ、
前記第二連結部には、当該第二連結部が設けられた前記容器の前記第一連結部に設けられた前記第一開口部と前記容器の積み重ね方向で重なり、前記第二ねじ用の工具を挿入可能な第二開口部が設けられた請求項１ないし７のいずれか一項に記載の蓄電池装置。
【請求項９】
前記容器には、当該容器に対して回転可能な回転体と、前記回転体の上方に位置されたガイド部とが設けられ、
相対的に上段と下段との関係の二つの前記容器において、前記上段の前記容器に設けられた前記回転体と、前記下段の前記容器に設けられた前記ガイド部とが重なり、当該回転体が前記ガイド部に案内されることで、前記上段の前記容器が前記下段の前記容器に対してスライド可能である請求項１ないし８のいずれか一項に記載の蓄電池装置。
【請求項１０】
前記容器には、当該容器に対する前記下段の前記容器の前記ガイド部に対して、前記回転体を接離可能に保持した回転体保持部が設けられた請求項９に記載に蓄電池装置。
【請求項１１】
前記容器の上端部には、受入部が設けられ、
相対的に上段と下段との関係の二つの前記容器において前記下段の前記容器に設けられた前記受入部が、前記上段の前記容器の下端部を収容し当該上段の前記容器を支持した請求項１ないし７のいずれか一項に記載の蓄電池装置。
【請求項１２】
前記複数の容器は、当該複数の容器を貫通したねじと、当該貫通したねじと結合したねじとによって、結合された請求項１，２，３，４，５，６，７または１１に記載の蓄電池装置。
【請求項１３】
相対的に上段と下段との関係の二つの前記容器における前記上段の前記容器は、前記下段の前記容器に設けられ前記上段の前記容器を貫通したねじと、当該貫通したねじと結合したねじとによって前記下段の前記容器に結合された請求項１，２，３，４，５，６，７または１１に記載の蓄電池装置。
【請求項１４】
前記受入部には、前記容器の積み重ねと交差する方向に当該受入部の壁部を貫通した雌ねじ部が設けられ、
前記上段の前記容器は、前記下段の前記容器の前記受入部の外側から前記雌ねじ部にねじ込まれたねじによって、前記下段の前記容器に押し付けられた請求項１１に記載の蓄電池装置。
【請求項１５】
前記上段の前記容器は、前記下段の前記容器における前記受入部の壁部と当該壁部に重ねられた当該上段の容器の壁部とを前記容器の積み重ね方向と交差する方向に貫通したねじと、当該貫通したねじと結合したねじとによって、前記下段の前記容器に結合された請求項１１に記載の蓄電池装置。
【請求項１６】
前記容器に設けられ前記容器を支持し、前記容器の姿勢を調整する調整ねじを備えた請求項１ないし１５のいずれか一項に記載の蓄電池装置。
【請求項１７】
相対的に上段と下段との関係の二つの前記容器を結合した楔構造を備えた請求項１ないし７のいずれか一項に記載の蓄電池装置。
【請求項１８】
前記楔構造は、
前記上段の前記容器の下端部と前記下段の前記容器の上端部との一方に設けられた楔部と、
前記上段の前記容器の下端部と前記下段の前記容器の上端部との他方に設けられ、前記複数の容器の積み重ね方向と交差する方向で前記楔部が差し込まれた差込部と、
を有した請求項１７に記載の蓄電池装置。
【請求項１９】
前記楔構造は、
前記上段の前記容器の下端部と前記下段の前記容器の上端部との一方に設けられた挿入部と、
前記上段の前記容器の下端部と前記下段の前記容器の上端部との他方に設けられ、前記挿入部が挿入された受入部と、
前記挿入部と前記受入部との間に差し込まれた楔部材と、を有した請求項１７に記載の蓄電池装置。
【請求項２０】
相対的に上段と下段との関係の二つの前記容器は、前記下段の前記容器の上端部と前記上段の前記容器の下端部との一方に設けられた雄ねじ部と、前記下段の前記容器の上端部と前記上段の前記容器の下端部との他方に設けられ前記雄ねじ部と結合した雌ねじ部とによって、結合された請求項１に記載の蓄電池装置。
【発明の詳細な説明】
【技術分野】
【０００１】
本発明の実施形態は、蓄電池装置に関する。
【背景技術】
【０００２】
従来、筐体内に複数の単電池を収容した組電池等の電池が知られている。
【先行技術文献】
【特許文献】
【０００３】
【特許文献１】特開２０００−２５１９５１号公報
【発明の概要】
【発明が解決しようとする課題】
【０００４】
この種の電池は、一例として、床等の設置対象（例えば、建屋内の限られた空間等）により多く設置（例えば、多段積み等）できることが望まれている。
【課題を解決するための手段】
【０００５】
実施形態の蓄電池装置は、複数の容器と、電池と、を備えた。前記複数の容器は、積み重ねられた。前記電池は、各前記容器に収容された。
【図面の簡単な説明】
【０００６】
【図１】図１は、第１実施形態にかかる複数の蓄電池装置の一例を示す正面図である。
【図２】図２は、第１実施形態にかかる蓄電池装置の電池ユニットの一例を示す平面図である。
【図３】図３は、第１実施形態にかかる蓄電池装置の電池ユニットの電気的接続を示す図である。
【図４】図４は、第１実施形態にかかる蓄電池装置の一部を示す正面図である。
【図５】図５は、第１実施形態の第１変形例にかかる蓄電池装置の一部を示す正面図である。
【図６】図６は、第１実施形態の第２変形例にかかる蓄電池装置の一部を示す正面図である。
【図７】図７は、第２実施形態にかかる蓄電池装置の一例を示す平面図である。
【図８】図８は、第３実施形態にかかる蓄電池装置の一部の一例を示す正面断面図である。
【図９】図９は、第３実施形態にかかる蓄電池装置の奇数段目の容器を示す平面図である。
【図１０】図１０は、第３実施形態にかかる蓄電池装置の奇数段目の容器を示す平面断面図である。
【図１１】図１１は、第３実施形態にかかる蓄電池装置の偶数段目の容器を示す平面図である。
【図１２】図１２は、第３実施形態にかかる蓄電池装置の偶数段目の容器を示す平面断面図である。
【図１３】図１３は、第４実施形態にかかる蓄電池装置の一部の一例を示す正面図である。
【図１４】図１４は、第４実施形態にかかる蓄電池装置の容器の一例を示す平面図である。
【図１５】図１５は、図１４のＦ１５−Ｆ１５断面図である。
【図１６】図１６は、第５実施形態にかかる蓄電池装置の一部の一例を示す正面断面図である。
【図１７】図１７は、第５実施形態にかかる蓄電池装置の容器の一例を示す平面図である。
【図１８】図１８は、第６実施形態にかかる蓄電池装置の一部の一例を示す側面図である。
【図１９】図１９は、第６実施形態にかかる蓄電池装置の一部の一例を示す側面断面図である。
【図２０】図２０は、第７実施形態にかかる蓄電池装置の一部の一例を示す正面断面図である。
【図２１】図２１は、第８実施形態にかかる蓄電池装置の一部の一例を示す正面図である。
【図２２】図２２は、第８実施形態にかかる蓄電池装置の電池ユニットを示す平面断面図である。
【図２３】図２３は、第９実施形態にかかる蓄電池装置の一部の一例を示す正面図である。
【図２４】図２４は、第９実施形態にかかる蓄電池装置の一部の一例を示す側面図である。
【図２５】図２５は、第９実施形態にかかる蓄電池装置の容器の一例を示す正面図である。
【図２６】図２６は、第９実施形態にかかる蓄電池装置の容器の一例を示す平面図である。
【図２７】図２７は、第９実施形態にかかる蓄電池装置の容器の一例を示す底面図である。
【図２８】図２８は、第９実施形態にかかる蓄電池装置の一部の一例を示す正面断面図である。
【図２９】図２９は、第９実施形態にかかる蓄電池装置の組み立て工程の一例を示す図である。
【図３０】図３０は、第１０実施形態にかかる蓄電池装置の一部の一例を示す正面図である。
【図３１】図３１は、図３０のＦ３１−Ｆ３１断面図である。
【図３２】図３２は、第１０実施形態にかかる蓄電池装置の容器の一例を示す正面図である。
【図３３】図３３は、第１０実施形態にかかる蓄電池装置の容器の一例を示す平面図である。
【図３４】図３４は、第１０実施形態にかかる蓄電池装置の容器の一例を示す底面図である。
【図３５】図３５は、第１０実施形態にかかる蓄電池装置の楔部材の一例を示す平面図である。
【図３６】図３６は、第１１実施形態にかかる蓄電池装置の一部の一例を示す側面図である。
【図３７】図３７は、第１１実施形態にかかる蓄電池装置の容器の一例を示す平面図である。
【図３８】図３８は、第１１実施形態にかかる蓄電池装置の容器の一例を示す側面図である。
【図３９】図３９は、第１２実施形態にかかる蓄電池装置の容器の一例を示す平面図である。
【図４０】図４０は、第１２実施形態にかかる蓄電池装置の容器の一例を示す側面図である。
【図４１】図４１は、第１２実施形態にかかる蓄電池装置の容器の一例を示す分解側面図である。
【発明を実施するための形態】
【０００７】
以下の複数の実施形態および変形例には、同様の構成要素が含まれている。よって、以下では、同様の構成要素には共通の符号が付されるとともに、重複する説明が省略される。また、各図では、説明の便宜上、方向（Ｘ方向、Ｙ方向、Ｚ方向）が示されている。Ｘ方向、Ｙ方向、およびＺ方向は、相互に直交している。
【０００８】
＜第１実施形態＞
本実施形態では、一例として、図１に示される蓄電池装置１（電源装置）は、積み重ねられた複数の容器３（収容体、筐体）と、各容器３に収容された組電池４（電池、図２，３）と、を備えている。容器３と当該容器３に収容された組電池４とは、電池ユニット５を構成している。また、蓄電池装置１は、複数の容器３の下方に位置された載置部材６と、複数の容器３の上方に位置された覆部材７と、を備えており、複数の容器３は、載置部材６と覆部材７とに挟まれている。蓄電池装置１は、一例として、建物や車両の床等の設置対象１００（設置部）に設置されて、電力供給対象へ電力を供給する電源として使用されうる。なお、図１では、複数（一例として、三つ）の蓄電池装置１が並設された例が示されている。これら複数の蓄電池装置１は、直列または並列に接続されて一つの電源として使用されてもよいし、相互に接続されずにそれぞれが独立した電源として使用されてもよい。
【０００９】
容器３は、一例として、図２，４に示すように、下面３ａ（面、表面、底面、面部）と、上面３ｂ（面、表面、天面、面部）と、亘面３ｃ（面、表面、側面、面部）と、を有している。下面３ａ、上面３ｂ、および亘面３ｃは、容器３の外面３ｄに含まれる。
【００１０】
下面３ａは、一例として、略平坦な矩形状である。下面３ａは、容器３の下端部３ｅに含まれる。上面３ｂは、下面３ａの反対側の面であり、容器３の上端部３ｆに含まれる。上面３ｂは、一例として、略平坦な矩形環状である。亘面３ｃは、下面３ａ（下端部３ｅ）と上面３ｂ（上端部３ｆ）とに亘って設けられ、下面３ａと上面３ｂとを接続している。亘面３ｃは、前面３ｃ１（第一面、正面、端面）と、後面３ｃ２（第二面、背面、端面）と、左右一対の側面３ｃ３（第三面）と、を有している。前面３ｃ１は、一例として、略平坦である。後面３ｃ２は、前面３ｃ１の反対側の面である。後面３ｃ２は、一例として、略平坦である。側面３ｃ３は、前面３ｃ１と後面３ｃ２とに亘って設けられ、前面３ｃ１と後面３ｃ２とを接続している。側面３ｃ３には、一例として、凹部３ｃ４が設けられている。凹部３ｃ４は、容器３の前後方向（Ｘ方向に沿った方向）に沿って延在した溝形状である。
【００１１】
また、容器３は、下面３ａを構成する底壁３ｇ（壁、壁部）と、底壁３ｇから上方へ延出し上面３ｂおよび亘面３ｃを構成する矩形環状の囲壁３ｈと、を有している。
【００１２】
底壁３ｇには、囲壁３ｈに対してフランジ状に張り出した下張出部３ｉ（フランジ）が設けられている。下張出部３ｉは、容器３の下端部３ｅに設けられている。下張出部３ｉは、一例として、側面３ｃ３毎に設けられている。つまり、本実施形態では、一例として、下張出部３ｉは、底壁３ｇの左右一対の側縁部に設けられている。下張出部３ｉは、底壁３ｇに一体に設けられており、下張出部３ｉの下面と底壁３ｇの下面とが容器３の下面３ａを構成している。なお、下張出部３ｉは、囲壁３ｈの上端部の全周に設けられて環状を呈していてもよい。
【００１３】
囲壁３ｈは、一例として、前面３ｃ１を構成する前壁３ｈ１（正面壁）と、後面３ｃ２を構成する後壁３ｈ２（背面壁）と、側面３ｃ３を構成する左右一対の側壁３ｈ３と、を有している。
【００１４】
また、囲壁３ｈの上端部には、囲壁３ｈに対してフランジ状に張り出した上張出部３ｊ（第一被支持部）が設けられている。上張出部３ｊは、容器３の上端部３ｆに設けられている。上張出部３ｊは、容器３の上端部３ｆに設けられ複数の容器３の積み重ね方向で下張出部３ｉと対面している。上張出部３ｊは、側面３ｃ３とともに、亘面３ｃを構成している。なお、上張出部３ｊは、囲壁３ｈの下端部の全周に設けられて環状を呈していてもよい。上張出部３ｊは、リフター２００（昇降装置、図４）の、昇降する一対の支持部２０１（アーム、図４）の着脱が、前面３ｃ１側から可能となっている。リフター２００は、一例としてハンドリフター（手動リフター）等である。なお、リフター２００は、フォークリフトであってもよい。また、図４では、便宜上、リフター２００の一対の支持部２０１が各容器３と載置部材６とにそれぞれ示されている。以上のとおり、本実施形態では、容器３の下端部３ｅに下張出部３ｉが設けられ、容器３の上端部３ｆに上張出部３ｊが設けられている。この上張出部３ｊと下張出部３ｉとによって、側面３ｃ３に凹部３ｃ４が構成されている。
【００１５】
容器３には、図２に示すように、組電池４を収容した凹状（直方体状）の室３ｋ（収容室、収容部、凹部）が設けられている。室３ｋには、組電池４の出し入れ（挿脱）が可能である。室３ｋは、囲壁３ｈによって囲まれている。室３ｋの上面には、組電池４の出し入れが可能な開口部３ｋ１が設けられており、容器３は、上面開口形状となっている。
【００１６】
上記構成の容器３は、図１，２に示すように、相互に重ねられる。この際、相対的に上段と下段との関係の二つの容器３において、一例として、下段の容器３の上面３ｂに上段の容器３の下面３ａが接し、下段の容器３の開口部３ｋ１が上段の容器３によって閉じられる。また、このとき、下段の容器３の上張出部３ｊと上段の容器３の下張出部３ｉとが、容器３の積み重ね方向で重ねられる。また、本実施形態では、一例として、複数の容器３は、相互に重ねられているだけであり、ねじ等の結合具による結合はなされていない。かかる構成では、容器３同士の摩擦によって、容器３同士の相対移動が抑制（規制）されている。
【００１７】
上記構成の容器３は、単一の部材で構成されてもよいし、複数の部材の組み合わせによって構成されてもよい。また、容器３は、金属材料や合成樹脂材料等によって構成されうる。
【００１８】
載置部材６は、図１，４に示すように、一例として、略矩形板状の外観を呈している。載置部材６には、最下段の容器３が置かれている。載置部材６は、下面６ａと上面６ｂとを有している。下面６ａは、設置対象１００に接している。上面６ｂは、最下段の容器３の下面３ａと接しており、最下段の容器３を支持している。上面６ｂには、下面６ａに向かって凹んだ凹部６ｃが設けられている。凹部６ｃは、一例として、上面６ｂの四つの角部毎に設けられている。また、各凹部６ｃには、凹部６ｃを上下方向（Ｚ方向）に貫通した孔６ｄが設けられている。各孔６ｄには、設置対象１００に設けられたスタッドボルト１０１が挿入されている。載置部材６は、スタッドボルト１０１と、凹部６ｃ内でスタッドボルト１０１と結合したナット１０２とによって、設置対象１００に結合（固定）されている。載置部材６は、金属材料や合成樹脂材料等によって構成されうる。また、本実施形態では、一例として、載置部材６と容器３とは、ねじ等の結合具による結合はなされていない。かかる構成では、載置部材６と容器３との摩擦によって、載置部材６と容器３との相対移動が抑制（規制）されている。
【００１９】
また、載置部材６の下面６ａには、上面６ｂに向けて凹んだ凹部６ｅ（第二被支持部）が設けられている。凹部６ｅは、左右（Ｙ方向）に相互に間隔をあけて二つ設けられている。凹部６ｅは、載置部材６の前面６ｆから後方へ向けて延在した溝形状である。凹部６ｅは、リフター２００（図４）の昇降する一対の支持部２０１の着脱が前面６ｆ側から可能となっている。つまり、凹部６ｅは、容器３の上張出部３ｊに対する支持部２０１の着脱可能方向（Ｘ方向に沿った方向）と同じ方向から支持部２０１の着脱が可能である。なお、載置部材６の上面６ｂは、凹部６ｅが容器３に覆われないように容器３の投影面積よりも大きな形状であってもよいし、容器３の投影面積と略同じ大きな形状であって凹部６ｅが容器３に覆われる形状であってもよい。
【００２０】
覆部材７（蓋部材）は、図１に示すように、一例として、矩形板状の外観を呈している。覆部材７は、最上段の容器３の上端部３ｆに積まれ当該容器３の上端部３ｆを覆っており、当該容器３の開口部３ｋ１を閉じている。覆部材７は、下面７ａと上面７ｂとを有している。下面７ａは、最上段の容器３の上面３ｂと接している。本実施形態では、一例として、覆部材７と容器３とは、ねじ等の結合具による結合はなされていない。かかる構成では、覆部材７と容器３との摩擦によって、覆部材７と容器３との相対移動が抑制（規制）されている。覆部材７は、金属材料や合成樹脂材料等によって構成されうる。
【００２１】
組電池４（電池モジュール）は、一例として、図２，３に示すように、各容器３に複数収容されている。なお、便宜上、図３では、組電池４の数が図２中の組電池４の数よりも少なく示されている。組電池４は、容器３の室３ｋに収容されて底壁３ｇに置かれている。同一の容器３に収容された複数の組電池４は、接続部材２０を介して直列または並列に接続されている。接続部材２０は、導電性を有し、組電池４同士を電気的に接続している。接続部材２０は、例えば、金属材料からなるバスバーや、金属製の線が絶縁部材によって被覆された配線（電線）等である。なお、図２，３では、一例として、複数の組電池４が直列に接続された例が示されている。
【００２２】
組電池４は、一例として、直列または並列に接続された複数の単電池（単電池部、単セル）を有し、一例としては、二次電池（蓄電池、充電式電池）として構成されうる。
【００２３】
単電池は、一例として、それぞれ、リチウムイオン二次電池として構成されることができる。なお、単電池は、ニッケル水素電池や、ニッケルカドミウム電池、鉛蓄電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、炭素質材料、シリコン系材料等が用いられる。また、電解質（一例としては電解液）としては、例えば、フッ素系錯塩（例えばＬｉＢＦ４、ＬｉＰＦ６）等のリチウム塩が配合された、例えば、炭酸エチレンや炭酸プロピレン、炭酸ジエチル、炭酸エチルメチル、炭酸ジメチル等の有機溶媒等が単独でまたは複数混合されて用いられる。なお、本実施形態では、容器３に電池として組電池４を収容しているが、これに限ることなく、容器３に電池として単電池を直接収容してもよい。
【００２４】
組電池４は、図２に示すように、筐体１０と、正電極部１１と、負電極部１２と、を有している。筐体１０は、一例として、直方体状の外観を呈している。組電池４は、複数の単電池を収容している。筐体１０は、複数の部材の組み合わせによって構成されうる。また、筐体１０は、金属材料や合成樹脂材料等によって構成されうる。
【００２５】
正電極部１１と負電極部１２とは、一例として、筐体１０の上面１０ａから突出している。正電極部１１と負電極部１２とは、筐体１０内の単電池の電極部に接続されている。
【００２６】
容器３に収容された複数の組電池４は、接続部材２０によって相互に接続されて電気回路２１（回路、主回路、電源回路）を構成している。電気回路２１は、容器３（電池ユニット５）毎に設けられている。電気回路２１は、容器３に収容された組電池４と、接続部材２０，２４と、監視装置１４と、通信コネクタ２５と、回路遮断部２２と、電極ターミナル１７と、を有している。
【００２７】
回路遮断部２２は、通電可能状態から電気回路２１を遮断した状態に状態変化可能である。回路遮断部２２は、容器３の亘面３ｃに設けられている。詳細には、回路遮断部２２は、前面３ｃ１に設けられている。回路遮断部２２は、ヒューズ２２ａ（遮断部）と、配線用遮断器２２ｂ（遮断部、ブレーカ）と、を有している。ヒューズ２２ａは、通電可能状態から規定量を超えた電流が流れた場合に電気回路２１を遮断する遮断状態に変化する。配線用遮断器２２ｂは、手動操作を受けてＯＮとＯＦＦとの切り替えを行う操作片２２ｃを有している。配線用遮断器２２ｂは、一例として、ＯＮでは通電可能状態であり、ＯＦＦでは電気回路２１を遮断した遮断状態である。また、配線用遮断器２２ｂは、後述する管理装置２７からの接点出力により、ＯＮからＯＦＦへ移行できるものとする。
【００２８】
電極ターミナル１７は、正電極部１８と負電極部１９とを有している。正電極部１８と負電極部１９とは、容器３に収容された複数の組電池４に回路遮断部２２を介して電気的に接続されている。正電極部１８と負電極部１９とは、電池ユニット５の電極端子部である。また、正電極部１８は、図３に示すように、配線３０の端部に設けられた端子部３０ａと接続され、負電極部１９は、別の配線３０の端部に設けられた端子部３０ｂと接続されている。
【００２９】
また、組電池４には、図２に示すように、監視装置１４（検出部）が設けられている。監視装置１４は、容器３に収容されている。監視装置１４は、当該監視装置１４が設けられた組電池４の状態を検出する。つまり、監視装置１４は、当該監視装置１４が収容された容器３に収容された組電池４の状態を検出する。一例として、監視装置１４は、組電池４の電圧等を計測（監視）して計測した電圧値等（監視結果）を出力する。監視装置１４は、通信コネクタ１４ａと当該通信コネクタ１４ａに電気的に接続された回路基板（図示せず）と、を有している。通信コネクタ１４ａは、筐体１０から露出している。回路基板は、一例として、筐体１０の内部に収容されている。監視装置１４（通信コネクタ１４ａ）は、一例として、接続部材２４と接続されている。接続部材２４は、一例として配線（電線）等である。
【００３０】
また、容器３には、当該容器３に収容された複数の監視装置１４に接続部材２４を介して電気的に接続された通信コネクタ２５（第一接続部）が設けられている。監視装置１４と通信コネクタ２５との間では、各種の信号の授受が行われる。通信コネクタ２５は、容器３毎に設けられている。通信コネクタ２５は、一例として、回路遮断部２２と同じく亘面３ｃの前面３ｃ１に設けられている。このように、本実施形態では、通信コネクタ２５と回路遮断部２２とは、前面３ｃ１と後面３ｃ２と側面３ｃ３とのうちの同一の面（一例として前面３ｃ１）に設けられている。つまり、本実施形態では、筐体３の亘面３ｃの複数の面（前面３ｃ１、後面３ｃ２、側面３ｃ３）には、それらのうちの一つにだけ電気部品（本実施形態では、回路遮断部２２および通信コネクタ２５）が設けられている。なお、通信コネクタ２５と回路遮断部２２とは、後面３ｃ２または側面３ｃ３に設けられていてもよい。
【００３１】
また、本実施形態では、一例として、図１に示すように、覆部材７の上面７ｂには、電極ターミナル２６（第二接続部、端子部）と、管理装置２７と、が設けられている。
【００３２】
電極ターミナル２６は、正電極部２８と負電極部２９とを有している。電極ターミナル２６は、直列または並列接続された複数の容器３の電気回路２１（具体的には電極ターミナル１７）に配線３０を介して電気的に接続されている。正電極部２８と負電極部２９とは、蓄電池装置１の電極端子部である。電極ターミナル２６は、外部装置と電力の授受を行う。つまり、各組電池４の電力は、電極ターミナル２６を介して外部装置へ供給され、外部装置から供給された電力は、電極ターミナル２６を介して各組電池４に充電される。電極ターミナル２６は、複数の電気回路２１とともに一つの回路を構成している。
【００３３】
管理装置２７は、各組電池４に設けられた監視装置１４の制御および管理を行う。管理装置２７は、上面３ｂに設置された筐体３１と、筐体３１から露出した通信コネクタ３２（第三接続部）と、当該通信コネクタ３２と電気的に接続され筐体３１に収容された回路基板（図示せず）と、を有している。通信コネクタ３２は、筐体３１によって上面３ｂに設けられている。通信コネクタ３２は、複数の容器３の通信コネクタ２５と配線３３を介して電気的に接続されている。したがって、管理装置２７は、各監視装置１４に通信コネクタ３２を介して電気的に接続されている。通信コネクタ３２および配線３３は、通信専用のものであってもよいし、電力線通信用のものであってもよい。管理装置２７と監視装置１４と通信コネクタ２５，３２と、配線３３とは、回路（電気回路）を構成している。
【００３４】
以上の構成の蓄電池装置１を設置対象１００へ設置する際には、一例として、図１に示すように、まず、載置部材６を設置対象１００へ設置（固定）し、次に、載置部材６上に電池ユニット５（容器３）を順次積み重ねる。この際、凹部６ｅや上張出部３ｊにリフター２００の支持部２０１を挿入して、リフター２００によって載置部材６および電池ユニット５（容器３）を積み重ねることができる。そして、最上段の電池ユニット５（容器３）上に覆部材７を重ねる。その後、配線３０，３３を組み付ける。
【００３５】
以上説明したように、本実施形態では、蓄電池装置１は、積み重ねられた複数の容器３と、各容器３に収容された組電池４と、を備えている。したがって、本実施形態によれば、複数の容器３によって、床等の設置対象１００に組電池４が複数積み上げ設置されるので、設置対象１００に組電池４を一段置いただけの場合に比べて、設置対象１００により多くの組電池４を設置することができる。よって、高体積エネルギー密度化を図ることができる。電池（組電池４）としては、段積みの製造作業性から、電池重量がそのエネルギーに対して軽量なもの（つまり、重量エネルギー密度の高いもの）が有効であり、リチウムイオン二次電池がより好ましい。また、電池（組電池４）としては、段積みの際に、上部の部材等に影響を少なくし、設計を容易にするため、開放系の電池（開放系の鉛蓄電池やニッケル水素電池）よりも、密閉系の電池（密封の鉛蓄電池やニッケル水素電池、リチウムイオン二次電池）がより好ましい。
【００３６】
また、本実施形態では、回路遮断部２２が容器３の亘面３ｃに設けられている。したがって、本実施形態によれば、回路遮断部２２が容器３の下面３ａや上面３ｂに設けられた場合に比べて、回路遮断部２２に対する作業がし易い。
【００３７】
また、本実施形態では、回路遮断部２２と通信コネクタ２５とが、筐体３の前面３ｃ１と後面３ｃ２と側面３ｃ３とのうちの同一の面（本実施形態では、一例として前面３ｃ１）に設けられている。したがって、本実施形態によれば、回路遮断部２２と通信コネクタ２５に対する作業がし易い。このとき、本実施形態では、回路遮断部２２と通信コネクタ２５とが、前面３ｃ１に設けられているので、一例として、蓄電池装置１の設置対象１００の周囲に壁等があり、蓄電池装置１の前面３ｃ１以外が壁に面した場合でも、回路遮断部２２と通信コネクタ２５とに対する作業を比較的容易に行うことができる。
【００３８】
また、本実施形態では、電極ターミナル２６と通信コネクタ３２とが、覆部材７の上面７ｂに設けられている。したがって、本実施形態によれば、電極ターミナル２６と通信コネクタ３２とに対する作業が比較的し易い。
【００３９】
また、本実施形態では、容器３は、リフター２００の昇降する一対の支持部２０１の着脱が前面３ｃ１側から可能な、上張出部３ｊを有している。したがって、本実施形態によれば、一例として、蓄電池装置１の設置対象１００の周囲に壁等があり、蓄電池装置１の前面３ｃ１以外が壁に面する場合でも、リフター２００によって容易に容器３を設置対象１００に積み上げることができる。よって、容易に容器３を隙間無く積み重ねることができる。
【００４０】
また、本実施形態では、載置部材６は、容器３の上張出部３ｊに対する支持部２０１の着脱可能方向と同じ方向から支持部２０１の着脱が可能な凹部６ｅを有している。したがって、本実施形態によれば、一例として、蓄電池装置１の設置対象１００の周囲に壁等があり、蓄電池装置１の前面３ｃ１以外が壁に面する場合でも、リフター２００によって容易に載置部材６を設置対象１００に設置することができる。
【００４１】
＜第１変形例＞
本変形例では、図５に示すように、相対的に上段と下段との関係の二つの容器３において、下段の容器３の上張出部３ｊと、上段の容器３の下張出部３ｉとが、上張出部３ｊと下張出部３ｉとを貫通したボルト４０と、ボルト４０と結合したナット４１とによって結合されている。したがって、本変形例によれば、容器３同士を強固に結合することができる。
【００４２】
＜第２変形例＞
本変形例では、図６に示すように、設置対象１００に左右一対のブロック部材４２（位置決め部材）が設置（固定）されており、これらのブロック部材４２の間に載置部材６が設置されている。容器３は、ブロック部材４２および載置部材６上に載置されている。かかる構成では、載置部材６を設置対象１００に設置する際には、予め設置対象１００に設置されたブロック部材４２間に載置部材６を挿入して載置部材６を設置対象１００に設置する。この際、ブロック部材４２は、載置部材６と当接することで載置部材６の位置決めガイドとして機能する。したがって、本変形例によれば、設置対象１００に対する載置部材６の位置決めを比較的容易に行うことができる。
【００４３】
＜第２実施形態＞
本実施形態は、図７に示すように、蓄電池装置１が、組電池４に設けられたコネクタ４５と、この組電池４に設けられたコネクタ４５に着脱可能なコネクタ４６と、を備えている点が、第１実施形態と異なる。
【００４４】
コネクタ４５，４６は、複合コネクタであり、監視装置１４と通信コネクタ２５との間に伝わる信号と、組電池４の電力と、を相互間で伝える。コネクタ４５は、一例として、第１実施形態の正電極部２８と負電極部２９と通信コネクタ１４ａとを一体化したものである。コネクタ４６は、電極ターミナル１７と通信コネクタ２５とに配線４７（複合線）を介して電気的に接続されている。コネクタ４６は、図７中の矢印４８方向に移動されて、コネクタ４５に嵌められる。なお、図７では、コネクタ４５に対してコネクタ４６が外された状態が示されている。本実施形態では、一例として、コネクタ４５に対するコネクタ４６の着脱方向は、水平方向であり、詳細には、左右方向（Ｙ方向に沿った方向）である。
【００４５】
以上説明したように、本実施形態では、蓄電池装置１が、組電池４に設けられたコネクタ４５と、この組電池４に設けられたコネクタ４５に着脱可能なコネクタ４６と、を備え、コネクタ４５，４６が、監視装置１４と通信コネクタ２５との間に伝わる信号と、組電池４の電力と、を相互間で伝える。したがって、本実施形態によれば、蓄電池装置１の電池ユニット５の電気回路２１等の回路における電気的接続作業が比較的容易である。これにより、蓄電池装置１のメンテナンス性を向上させることができる。
【００４６】
＜第３実施形態＞
本実施形態は、図８に示すように、容器３の下張出部３ｉと上張出部３ｊとが第１実施形態と異なる。なお、本実施形態以降では、組電池４（電気回路２１）等の電気系の部材（電気部品）の図示が省略される場合があるが、いずれの実施形態の蓄電池装置１も第１実施形態で説明した組電池４（電気回路２１）や監視装置１４の電気系の部材（電気部品）等を備える。
【００４７】
本実施形態では、下張出部３ｉは、容器３の下端部３ｅに設けられた第一連結部として機能し、上張出部３ｊは、容器３の上端部３ｆに設けられ複数の容器３の積み重ね方向で下張出部３ｉと対面した第二連結部として機能する。また、本実施形態では、最下段から数えて奇数段目の容器３（図９，１０）と、最下段から数えて偶数段目の容器３（図１１，１２）との構成が異なる。
【００４８】
本実施形態では、図９〜１２に示すように、下張出部３ｉと上張出部３ｊとは、囲壁３ｈに沿って矩形環状に設けられている。下張出部３ｉは、図１０，１２に示すように、囲壁３ｈの前端部（前縁部）に沿った前張出部３ｉ１と、囲壁３ｈの後端部（後縁部）に沿った後張出部３ｉ２と、囲壁３ｈの側端部（側縁部）に沿った左右一対の側張出部３ｉ３と、を有している。また、図９，１１に示すように、上張出部３ｊは、囲壁３ｈの前端部（前縁部）に沿った前張出部３ｊ１と、囲壁３ｈの後端部（後縁部）に沿った後張出部３ｊ２と、囲壁３ｈの側端部（側縁部）に沿った左右一対の側張出部３ｊ３と、を有している。
【００４９】
また、図８に示すように、下段の容器３の上張出部３ｊと上段の容器３の下張出部３ｉとは、第１実施形態と同じく、容器３の積み重ね方向で重ねられる。本実施形態では、重ねられた下張出部３ｉと上張出部３ｊとが、上張出部３ｊに設けられたナット５０（第一ねじ）と、当該ナット５０の上方から当該ナット５０に結合されたボルト５１（第二ねじ）と、によって結合されている。
【００５０】
図８〜１２に示すように、最下段から数えて奇数段目の容器３に設けられたナット５０と、最下段から数えて偶数段目の容器３に設けられたナット５０とは、容器３の積み重ね方向で相互に重ならない位置に設けられている。別の言い方をすると、最下段から数えて奇数段目の容器３に設けられたナット５０と、最下段から数えて偶数段目の容器３に設けられたナット５０とは、容器３の積み重ね方向と直交する方向（水平方向）で相互にずれて設けられている。本実施形態では、一例として、蓄電池装置１は、ナット５０は、上下方向に沿って千鳥状に配列されてよい。
【００５１】
また、下張出部３ｉには、ボルト５１が挿入された孔３ｉ４（第一開口部）が設けられている。孔３ｉ４は、当該孔３ｉ４が設けられた下張出部３ｉに重ねられた上張出部３ｊに設けられたナット５０と容器３の積み重ね方向で重なる。
【００５２】
また、上張出部３ｊには、孔３ｊ４が設けられている。孔３ｊ４は、ナット５０に対応して設けられ、ナット５０の筒内と連通している。孔３ｊ４には、ボルト５１が挿入されている。また、上張出部３ｊには、孔３ｊ５（第二開口部）が設けられている。孔３ｊ５は、当該上張出部３ｊが設けられた容器３の下張出部３ｉに設けられた孔３ｉ４と、当該上張出部３ｊが設けられた容器３の下段の容器３の上張出部３ｊに設けられたナット５０と、容器３の積み重ね方向で重なっている。孔３ｊ５は、ボルト５１用の工具５２を挿入可能である。本実施形態では、一例として、上張出部３ｊの周方向（環状方向）において、隣り合うナット５０間には、少なくとも一つの孔３ｊ５が設けられている。
【００５３】
本実施形態では、一例として、図９，１１に示すように、最下段から数えて奇数段目の容器３の上張出部３ｊに設けられたナット５０および孔３ｊ４，３ｊ５（図９）は、最下段から数えて偶数段目の容器３の上張出部３ｊに設けられたナット５０および孔３ｊ４，３ｊ５（図１１）を、容器３の中心部を通り容器３の積み重ね方向に沿った軸周りに、１８０度回転させたものと一致する。また、本実施形態では、一例として、図１０，１２に示すように、最下段から数えて奇数段目の容器３の下張出部３ｉに設けられた孔３ｉ４（図１０）は、最下段から数えて偶数段目の容器３の下張出部３ｉに設けられた孔３ｉ４（図１２）を、容器３の中心部を通り容器３の積み重ね方向に沿った軸周りに、１８０度回転させたものと一致する。
【００５４】
また、本実施形態では、図８に示すように、容器３には、当該容器３に対して回転可能な回転体５３ａを有した回転構造部５３と、回転体５３ａの上方に設けられたガイド部３ｊ６とが設けられている。
【００５５】
回転構造部５３は、回転体５３ａの他に、回転体保持部５３ｂを有している。回転体５３ａは、一例として、車輪である。回転体５３ａは、回転体保持部５３ｂによって、容器３の下張出部３ｉに対して回転可能に取り付けられている。
【００５６】
回転体保持部５３ｂは、当該回転体保持部５３ｂが設けられた容器３に対する下段の容器３のガイド部３ｊ６に対して、回転体５３ａを接離可能に保持している。詳細には、回転体保持部５３ｂは、下張出部３ｉの上面に設けられた基部５３ｃ（雌ねじ部材）と、基部５３ｃにねじ込まれた調整ボルト５３ｄ（調整部材）と、を有している。調整ボルト５３ｄは、容器３の積み重ね方向に変位可能に基部５３ｃに螺合（結合）している。調整ボルト５３ｄの下端部には、回転体５３ａが回転可能に取り付けられている。また、下張出部３ｉには、回転体５３ａの挿脱が可能な孔３ｉ５が設けられている。かかる構成では、容器３の積み重ね方向に調整ボルト５３ｄを基部５３ｃに対して変位させることで、回転体５３ａをガイド部３ｊ６に接離させることが可能となっている。
【００５７】
ガイド部３ｊ６は、上張出部３ｊの上面に設けられている。本実施形態では、一例として、ガイド部３ｊ６は、前後方向に沿って延在した溝状（凹状）である。
【００５８】
上記構成では、相対的に上段と下段との関係の二つの容器３において、上段の容器３に設けられた回転体５３ａと、下段の容器３に設けられたガイド部３ｊ６とが重なり、回転体５３ａがガイド部３ｊ６に案内されることで、上段の容器３が下段の容器３に対してスライド可能である。本実施形態では、一例として、上段の容器３が下段の容器３に対して前後方向（奥行き方向、Ｘ方向に沿った方向）にスライド可能である。
【００５９】
また、本実施形態では、図８に示すように、載置部材６には、偶数段目の容器３の上張出部３ｊに設けられたナット５０に対応した雌ねじ部６ｇ（ねじ孔）と、偶数段目の容器３の上張出部３ｊに設けられたガイド部３ｊ６に対応したガイド部６ｈとが設けられている。雌ねじ部６ｇには、最下段の容器３の下張出部３ｉの孔３ｉ４を貫通したボルト５１が螺合している。また、ガイド部６ｈは、最下段の容器３に設けられた回転体５３ａを、一例として、前後方向に案内する。
【００６０】
以上の構成の蓄電池装置１の設置の際には、載置部材６に最下段の容器３を重ねる。この際、載置部材６に対して容器３をスライド移動させて相互の位置合わせをすることができる。位置合わせをした後は、回転体５３ａをガイド部６ｈから離間させる。次に、最下段の容器３を載置部材６にボルト５１によって結合（固定）する。この際、孔３ｊ５に工具５２を上方から挿入してボルト５１の締め付けを行うことができる。次に、固定された下段（最下段）の容器３に対して上段の容器３を重ねる。この際、下段の容器３に対して上段の容器３をスライド移動させて相互の位置合わせをすることができる。位置合わせをした後は、回転体５３ａをガイド部３ｊ６から離間させる。次に、上段の容器３を下段の容器３にボルト５１によって結合（固定）する。この際、孔３ｊ５に工具５２を上方から挿入してボルト５１の締め付けを行うことができる。このようにして、順次容器３を積み重ねて相互に固定する。このようにして積み重ねられた容器３は、相互に結合されているので、一例として、耐震性が高い。
【００６１】
以上説明したように、本実施形態では、最下段から数えて奇数段目の容器３に設けられたナット５０と、最下段から数えて偶数段目の容器３に設けられたナット５０とは、容器３の積み重ね方向で相互に重ならない位置に設けられている。また、上張出部３ｊには、当該上張出部３ｊが設けられた容器３の下張出部３ｉに設けられた孔３ｉ４と容器３の積み重ね方向で重なり、ボルト５１用の工具５２を挿入可能な孔３ｊ５が設けられている。したがって、本実施形態によれば、工具５２を用いて下段の容器３に上段の容器３を容易に固定することができる。また、容器３を積み上げる際には、下段の容器３に対して上段の容器３をスライド移動させて相互の位置合わせをすることができるので、比較的容易に容器３を積み上げることができる。
【００６２】
また、本実施形態では、回転体保持部５３ｂが、当該回転体保持部５３ｂが設けられた容器３に対する下段の容器３のガイド部３ｊ６に対して、回転体５３ａを接離可能に保持している。したがって、下段の容器３の積み上げの際（位置合わせの際）には、回転体５３ａをガイド部３ｊ６に接触させ、積み上げ後（位置合わせ後）には、回転体５３ａをガイド部３ｊ６から離間させることができる。
【００６３】
＜第４実施形態＞
本実施形態は、一例として、図１３に示すように、容器３の積み重ね構造が第１実施形態に対して異なる。
【００６４】
本実施形態では、図１３〜１５に示すように、上張出部３ｊは、囲壁３ｈに沿って矩形環状に設けられている。上張出部３ｊは、囲壁３ｈの前端部（前縁部）に沿った前張出部３ｊ１と、囲壁３ｈの後端部（後縁部）に沿った後張出部３ｊ２と、囲壁３ｈの側端部（側縁部）に沿った左右一対の側張出部３ｊ３と、を有している。また、本実施形態では、容器３に下張出部３ｉは設けられていない。
【００６５】
本実施形態では、一例として、図１３〜１５に示すように、容器３の上端部３ｆ（上部）に、受入部３ｍ（凹部、支持部）が設けられている。受入部３ｍは、容器３の上面３ｂに凹状に設けられている。この受入部３ｍは、底面３ｍ１と、底面３ｍ１の四辺の縁部から上方に向けて延出した延出面３ｍ２と、を有している。また、受入部３ｍは、延出面３ｍ２を有した囲壁３ｍ３（壁部）を有している。囲壁３ｍ３は、上張出部３ｊに含まれる。囲壁３ｍ３は、矩形枠状の壁である。また、底面３ｍ１には室３ｋが貫通しており、かかる構成によって、底面３ｍ１は、矩形枠状を呈している。
【００６６】
本実施形態では、一例として、図１３に示すように、相対的に上段と下段との関係の二つの容器３において下段の容器３に設けられた受入部３ｍが、上段の容器３の下端部３ｅ（一部）を収容し当該上段の容器３を支持している。このとき、底面３ｍ１が上段の容器３の下面３ａを支持し、延出面３ｍ２は、上段の容器３の亘面３ｃと対面している。四つの延出面３ｍ２のうちの１以上は、一例として、亘面３ｃに接触していてよい。延出面３ｍ２は、下段の容器３の受入部３ｍに上段の容器３を挿入する（嵌める）際に、上段の容器３を案内するガイド部として機能する。
【００６７】
また、載置部材６には、図１３に示すように、容器３の受入部３ｍに対応した凹状の受入部６ｊが設けられており、この受入部６ｊは、受入部３ｍと同様の機能を有する。
【００６８】
また、本実施形態では、複数の容器３は、複数の容器３を貫通したスタッドボルト５５（ねじ）と、スタッドボルト５５（貫通したねじ）と結合したナット５６（ねじ）とによって結合されている。スタッドボルト５５は、一例として、設置対象１００に固定されている。スタッドボルト５５は、載置部材６に設けられた孔６ｉと、各容器３の上張出部３ｊに設けられた孔３ｊ７と、覆部材７に設けられた孔７ｃと、を貫通している。スタッドボルト５５は、一例として四つ設けられている。
【００６９】
以上の構成の蓄電池装置１の設置の際には、載置部材６の孔６iにスタッドボルト５５を挿入しながら載置部材６を設置対象１００に設置する。次に、各容器３を載置部材６に重ねる。この際、容器３の孔３ｊ７にスタッドボルト５５を挿入させながら容器３を重ねる。また、最下段の容器３は、載置部材６の受入部６ｊに挿入し、最下段以外の容器３は、下段の容器３の受入部３ｍに挿入する。次に、覆部材７の孔７ｃにスタッドボルト５５を挿入しながら覆部材７を最上段の容器３に積み重ねる。次に、スタッドボルト５５にナット５６を結合させる。このように積み重ねられた容器３は、設置対象１００に結合（固定）されているので、耐震性が高い。
【００７０】
以上説明したように、本実施形態では、相対的に上段と下段との関係の二つの容器３において下段の容器３に設けられた受入部３ｍが、上段の容器３の下端部３ｅを収容し当該上段の容器３を支持している。したがって、上段の容器３と下段の容器３との位置ずれの発生を抑制することができる。よって、耐震性を向上させることができる。また、上段の容器３を下段の容器３の受入部３ｍに挿入する際には、受入部３ｍによって上段の容器３が案内されるので、下段の容器３に上段の容器３を比較的容易に積み重ねることができる。また、容器３を積み重ねながら、組電池４と容器３内に設置することができるため、フォークリフト等によるリフトアップが不要となり、蓄電池装置１が組み付け易くなる。
【００７１】
また、複数の容器３は、当該複数の容器３を貫通したスタッドボルト５５と、スタッドボルト５５と結合したナット５６とによって、結合されている。したがって、複数の容器３を比較的強固に結合することができる。
【００７２】
＜第５実施形態＞
本実施形態は、図１６に示すように、容器３のねじ結合構造が第４実施形態と異なる。本実施形態では、相対的に上段と下段との関係の二つの容器３における上段の容器３は、下段の容器３に設けられ上段の容器を貫通したスタッドボルト６０（ねじ）と、スタッドボルト６０と結合したナット６１（ねじ）とによって下段の容器３に結合されている。
【００７３】
各容器３は、図１７に示すように、底壁３ｇの角部に対応して四つの孔３ｇ１〜３ｇ４が設けられている。四つの孔３ｇ１〜３ｇ４のうち対角線（第一の対角線）上に位置した孔３ｇ１と孔３ｇ４とは第一組を構成し、四つの孔３ｇ１〜３ｇ４のうち別の対角線（第二の対角線）上に位置した孔３ｇ２と孔３ｇ３とは第二組を構成している。
【００７４】
本実施形態では、最下段から数えて奇数段目の容器３では、第一組の孔３ｇ１，３ｇ４に貫通したスタッドボルト６０が底壁３ｇに固定されている。一方、最下段から数えて偶数段目の容器３では、第二組の孔３ｇ２，３ｇ３に貫通したスタッドボルト６０が底壁３ｇに固定されている。なお、図１７では、便宜上、スタッドボルト６０の図示が省略されている。そして、偶数段目の容器３の第一組の孔３ｇ１，３ｇ４には、当該容器３の下段の容器３（奇数段目の容器３）のスタッドボルト６０が挿入されて、当該スタッドボルト６０にナット６１が結合されている。なお、図１６では容器３が２段の場合が示されているが、容器３が３段以上の場合には、３段目以上の奇数段目の容器３の第二組の孔３ｇ２，３ｇ３に、当該容器３の下段の容器３（偶数段目の容器３）のスタッドボルト６０が挿入されて、当該スタッドボルト６０にナット６１が結合される。
【００７５】
以上説明したように、本実施形態では、上段と下段の容器３が、スタッドボルト６０とナット６１とによって結合されている。したがって、容器３同士の結合が比較的強固である。
【００７６】
＜第６実施形態＞
本実施形態は、図１８，１９に示すように、容器３のねじ結合構造が第４実施形態と異なる。
【００７７】
本実施形態では、図１９に示すように、受入部３ｍには、容器３の積み重ねと交差する方向に当該受入部３ｍの囲壁３ｍ３（壁部）を貫通した雌ねじ部３ｍ４（ねじ孔）が設けられている。本実施形態では、一例として、雌ねじ部３ｍ４は、容器３の積み重ねと交差する方向として、前後方向（Ｘ方向に沿った方向）に囲壁３ｍ３を貫通している。
【００７８】
本実施形態では、相対的に上段と下段との関係の二つの容器３において、上段の容器３は、下段の容器３の受入部３ｍの外側から当該下段の容器３の雌ねじ部３ｍ４にねじ込まれたボルト６５（ねじ）によって、下段の容器３に押し付けられている。本実形態では、ボルト６５の締め付けは、容器３の前方から作業可能である。これにより、上段の容器３が下段の容器３に結合されている。
【００７９】
以上説明したように、本実施形態では、相対的に上段と下段との関係の二つの容器３において、上段の容器３は、下段の容器３の受入部３ｍの外側から当該下段の容器３の雌ねじ部３ｍ４にねじ込まれたボルト６５（ねじ）によって、下段の容器３に押し付けられている。したがって、容器３同士の連結を比較的強固にすることができる。また、本実施形態では、ボルト６５の締め付けは、容器３の前方から作業可能であるので、ボルト６５の締め付け作業を比較的容易に行うことができる。本実形態では、ボルト６５の締め付けは、容器３の前方から作業可能であるので、一例として、容器３の後面３ｃ２や側面３ｃ３を外部壁に寄せることができるので、外部壁が近くにあっても組電池４を高密度に積み上げることができる。
【００８０】
＜第７実施形態＞
本実施形態は、図２０に示すように、容器３のねじ結合構造が第４実施形態と異なる。本実施形態では、相対的に上段と下段との関係の二つの容器３において、上段の容器３は、下段の容器３にボルト７０（ねじ）と、ボルト７０と結合したナット７１とによって下段の容器３に結合されている。ボルト７０は、下段の容器３における受入部３ｍの囲壁３ｍ３（壁部）と当該囲壁３ｍ３に重ねられた上段の容器３の囲壁３ｈ（壁部）とを容器３の積み重ね方向と交差する方向に貫通している。本実施形態では、一例として、ボルト７０は、容器３の積み重ね方向と交差する方向として左右方向（Ｙ方向に沿った方向）に、囲壁３ｍ３と囲壁３ｈの側壁３ｈ３とを貫通している。一例として、囲壁３ｍ３には、孔３ｍ５が設けられ、囲壁３ｈ（側壁３ｈ３）には、孔３ｈ５が設けられており、ボルト７０は、下段の容器３の孔３ｍ５と上段の容器３の孔３ｈ５とを貫通している。
【００８１】
また、本実施形態では、一例として、ボルト７０の頭部７０ａが容器３の外に位置され、ナット７１は容器３の内（室３ｋ内）に位置されている。
【００８２】
以上説明したように、本実施形態では、容器３同士がボルト７０とナット７１とによって結合されている。したがって、容器３同士を比較的強固に連結することができる。また、本実施形態では、ボルト７０が、下段の容器３における受入部３ｍの囲壁３ｍ３（壁部）と当該囲壁３ｍ３に重ねられた上段の容器３の囲壁３ｈ（壁部）とを容器３の積み重ね方向と交差する方向に貫通している。したがって、本実施形態によれば、容器３の上方からの作業でボルト７０に対するナット７１の締め付けを行うことができる。よって、比較的容器３が壁に近い状態でも作業ができるので、容器３同士の連結を比較的強固にしつつ、床等の設置対象１００により多くの容器３を設置することができる。
【００８３】
＜第８実施形態＞
本実施形態は、図２１に示すように、容器３に調整ねじ７５が設けられているのが、第１実施形態と異なる。
【００８４】
調整ねじ７５は、容器３を支持し、容器３の姿勢を調整する。詳細には、図２２に示すように、容器３の下張出部３ｉ（底壁３ｇ）には、当該下張出部３ｉを容器の積み重ね方向に貫通した雌ねじ部３ｎ（ねじ孔）が設けられており、この雌ねじ部３ｎに調整ねじ７５（図２１）が結合（螺合）している。雄ねじ部３ｎおよび調整ねじ７５は、一例として、容器３の四つの角部毎に設けられている。つまり、本実施形態では、一例として調整ねじ７５が四つ（複数）設けられている。図２１に示すように、調整ねじ７５の下端部は、下面３ａから突出して下段の容器３または載置部材６に当接する。四つの調整ねじ７５の下面３ａからの突出量を、調整ねじ７５を回すことによって調整することで、容器３の姿勢を調整することができる。一例として、容器３の姿勢を水平にすることができる。
【００８５】
以上説明したように、本実施形態では、容器３に、容器３を支持し、容器３の姿勢を調整する調整ねじ７５が設けられている。したがって、本実施形態によれば、一例として、調整ねじ７５によって容器３の姿勢を水平にすることで、精度良く容器３の積み上げを行うことができる。よって、本実施形態によれば、蓄電池装置１の耐震性を向上させることができる。
【００８６】
＜第９実施形態＞
本実施形態は、図２３に示すように、蓄電池装置１に相対的に上段と下段との関係の二つの容器３を結合した楔構造８０が設けられている点が第１実施形態と異なる。また、本実施形態の容器３には、図２３，２４に示すように、下張出部３ｉと上張出部３ｊとは設けられていない。
【００８７】
楔構造８０は、一例として、図２３，２５に示すように、楔部８１と、複数の容器３の積み重ね方向と交差する方向で楔部８１が差し込まれた差込部８２と、を有している。本実施形態では、相対的に上段と下段との関係の二つの容器３において、上段の容器３の下端部３ｅと下段の容器３の上端部３ｆとの一方に楔部８１が設けられ、上段の容器３の下端部３ｅと下段の容器３の上端部３ｆとの他方に差込部８２が設けられている。本実施形態では、一例として、上段の容器３の下端部３ｅに楔部８１が設けられ、下段の容器３の上端部３ｆに差込部８２が設けられている。つまり、図２５〜２７に示すように、各容器３の下端部３ｅに楔部８１が設けられ、各容器３の上端部３ｆに差込部８２が設けられている。また、本実施形態では、差込部８２に対する楔部８１の差込方向は、前面３ｃ１から後面３ｃ２に向かう方向（前後方向での後方、Ｘ方向）である。
【００８８】
楔部８１は、一例として、図２５，２７，２８に示すように、容器３の下面３ａに突状に設けられている。楔部８１は、その前端部８１ａ（端部）から後端部８１ｂ（端部）に向かうにつれて左右方向の幅（Ｙ方向の幅）が狭くなる先細り形状となっている。楔部８１は、容器３に一体成形されている。なお、楔部８１を容器３とは別部材として、容器３に取り付けてもよい。当該楔部８１は、左右一対の斜面８１ｃ（面）を有している。斜面８１ｃは、差込部８２に対する楔部８１の差込方向に対して傾斜している。一対の斜面８１ｃは、楔部８１の左右一対の側面を構成している。一対の斜面８１ｃは、前端部８１ａから後端部８１ｂに向かうにつれ相互に近づいている。また、一対の斜面８１ｃでは、それらの上端部８１ｄ同士の間隔よりも下端部８１ｅ同士の間隔の方が広くなっている。
【００８９】
差込部８２は、一例として、図２５，２６，２８に示すように、一対の斜面８１ｃと接触した一対の斜面８２ａを有している。一対の斜面８２ａは、一対の斜面８１ｃと同様に差込部８２に対する楔部８１の差込方向に対して傾斜している。これらの一対の斜面８２ａ間に楔部８１が差し込まれており、一対の斜面８２ａが一対の斜面８１ｃを挟んでいる。なお、楔部８１の後端部８１ｂにも斜面を設けるとともに、当該斜面に対応して当該斜面と当接する斜面を差込部８２に設けてよい。
【００９０】
また、本実施形態では、図２４に示すように、相対的に上段と下段との関係の二つの容器３において、上段の容器３の楔部８１は、押しねじ８３（ねじ、ボルト）によって下段の容器３の差込部８２に押し付けられている。詳細には、各容器３には、一例として支持部８４が前面３ｃ１から突出して設けられている。支持部８４は、前面３ｃ１から突出するとともに上方に屈曲した形状を呈している。支持部８４には、押しねじ８３が螺合（結合）した雌ねじ部８４ａ（ねじ孔）が設けられている、雌ねじ部８４ａは、容器３の上面３ｂよりも上方に位置されている。かかる構成により、押しねじ８３は、当該押しねじ８３が設けられた容器３の上段の容器３の前面３ｃ１（亘面３ｃ）を押すことが可能となっている。
【００９１】
以上の構成の蓄電池装置１の設置の際には、相対的に上段と下段との関係の二つの容器３において、一例として、図２９に示すように、下段の容器３の支持部８４に引っ掛からないように上段の容器３を下段の容器３に対して前方にずらした状態で、上段の容器３の楔部８１を下段の容器３の差込部８２に上方から入れる。次に、押しねじ８３を回すことで上段の容器３を下段の容器３に対して後方に向けてスライドさせる。これにより上段の容器３の楔部８１が下段の容器の差込部８２に差し込まれ、上段の容器３が下段の容器３に結合される。このようにして下段の容器３に結合された上段の容器３は、下段の容器３に対して前後方向および左右方向の動きを拘束される。なお、容器３の積み重ねをばらす際には、押しねじ８３による押圧を解除することで、差込部８２から楔部８１を外すことができる。
【００９２】
以上説明したように、本実施形態では、蓄電池装置１に相対的に上段と下段との関係の二つの容器３が楔構造８０によって結合されている。したがって、二つの容器３を強固に結合することができる。
【００９３】
また、本実施形態では、楔構造８０は、楔部８１と、複数の容器３の積み重ね方向と交差する方向（一例として、前後方向での後方）で楔部８１が差し込まれた差込部８２と、を有している。したがって、一例として、上段の容器３を下段の容器３に対して、前後方向での後方にスライドさせることで、楔部８１を差込部８２に差し込むことができるので、比較的容易に容器３同士を結合させることができる。
【００９４】
また、本実施形態では、相対的に上段と下段との関係の二つの容器３において、上段の容器３の楔部８１が、押しねじ８３によって下段の容器３の差込部８２に押し付けられている。したがって、楔部８１を差込部８２に強固に差し込まれた状態を維持することができる。
【００９５】
＜第１０実施形態＞
本実施形態は、図３０，３１に示すように、楔構造８０Ａが第９実施形態と異なる。楔構造８０Ａは、挿入部８５と、挿入部８５が挿入された受入部８６と、挿入部８５と受入部８６との間に差し込まれた楔部材８７と、を有している。
【００９６】
本実施形態では、相対的に上段と下段との関係の二つの容器３において、上段の容器３の下端部３ｅと下段の容器３の上端部３ｆとの一方に挿入部８５が設けられ、上段の容器３の下端部３ｅと下段の容器３の上端部３ｆとの他方に受入部８６が設けられている。本実施形態では、一例として、上段の容器３の下端部３ｅに挿入部８５が設けられ、下段の容器３の上端部３ｆに受入部８６が設けられている。つまり、図３２〜３４に示すように、各容器３の下端部３ｅに挿入部８５が設けられ、各容器３の上端部３ｆに受入部８６が設けられている。また、本実施形態では、挿入部８５と受入部８６との間に対する楔部材８７の差込方向は、前面３ｃ１から後面３ｃ２に向かう方向（前後方向での後方、Ｘ方向）である。
【００９７】
挿入部８５は、一例として、図３１，３２，３４に示すように、容器３の下面３ａに突状に設けられている。挿入部８５は、容器３に一体形成されている。なお、挿入部８５を容器３とは別部材として、容器３に取り付けてもよい。挿入部８５は、その前端部８５ａ（端部）から後端部８５ｂ（端部）に向かうにつれて左右方向の幅（Ｙ方向の幅）が広くなっている。当該挿入部８５は、左右一対の斜面８５ｃ（面）を有している。斜面８５ｃは、楔部材８７の差込方向に対して傾斜している。一対の斜面８５ｃは、挿入部８５の左右一対の側面を構成している。一対の斜面８５ｃは、前端部８５ａから後端部８５ｂに向かうにつれ相互に離間する。
【００９８】
受入部８６は、一例として、図３１，３２，３３に示すように、一対の斜面８６ａを有している。一対の斜面８６ａ間に一対の斜面８５ｃが位置される。一対の斜面８６ａは、楔部材８７の差込方向に対して傾斜している。一対の斜面８６ａは、受入部８６の前端部８６ｂから後端部８６ｃに向かうにつれ相互に近づいている。
【００９９】
楔部材８７は、一例として、図３１，３５に示すように、その前端部８７ａ（端部）から後端部８７ｂ（端部）に向かうにつれて左右方向の幅（Ｙ方向の幅）が狭くなる先細り形状となっている。当該楔部材８７は、左右一対の斜面８７ｃ（面）を有している。斜面８７ｃは、楔部材８７の差込方向に対して傾斜している。一対の斜面８７ｃは、楔部材８７の左右一対の側面を構成している。一対の斜面８７ｃは、前端部８７ａから後端部８７ｂに向かうにつれ相互に近づいている。楔部材８７は、相対的に上段と下段との関係の二つの容器３において、上段の容器３に設けられた挿入部８５の斜面８５ｃと下段の容器３の受入部８６の斜面８６ａとの間に差し込まれる。楔部材８７の一方の斜面８７ｃは、斜面８５ｃと接触し、楔部材８７の他方の斜面８７ｃは、斜面８６ａと接触する。また、楔部材８７には、当該楔部材８７の前面８７ｄ（面）を貫通した雌ねじ部８７ｅ（ねじ孔、ねじ、取出部）が設けられている。雌ねじ部８７ｅに、図示しない取り外し用ねじ（ボルト）を螺合（結合）させて、当該取り外し用ねじを手前に引っ張ることで、楔部材８７を容易に取り外すことができる。これにより、容器３同士の分離を容易に行うことができる。
【０１００】
以上説明したように、本実施形態では、蓄電池装置１に相対的に上段と下段との関係の二つの容器３が楔構造８０Ａによって結合されている。したがって、二つの容器３を強固に結合することができる。
【０１０１】
＜第１１実施形態＞
本実施形態は、図３６に示すように、容器３に設けられた雄ねじ部９０および雌ねじ部９１によって、容器３同士が結合されている点が第１実施形態と異なる。
【０１０２】
詳細には、本実施形態では、相対的に上段と下段との関係の二つの容器３は、下段の容器３の上端部３ｆと上段の容器３の下端部３ｅとの一方に設けられた雄ねじ部９０と、下段の容器の上端部３ｆと上段の容器３の下端部３ｅとの他方に設けられ雄ねじ部９０と結合した雌ねじ部９１とによって、結合されている。一例として、本実施形態では、上段の容器３の下端部３ｅに雄ねじ部９０が設けられ、下段の容器３の上端部３ｆに雌ねじ部９１が設けられている。つまり、図３７，３８に示すように、各容器３の下端部３ｅに雄ねじ部９０が設けられ、各容器３の上端部３ｆに雌ねじ部９１が設けられている。雄ねじ部９０は、下面３ａに突状に設けられている。雌ねじ部９１は、上面３ｂにおける開口部３ｋ１の縁部に設けられている。また、本実施形態では、載置部材６の上面６ｂにも雌ねじ部９１が設けられており、最下段の容器３の雄ねじ部９０は、載置部材６の雌ねじ部９１に螺合している。
【０１０３】
また、本実施形態では、一例として、図３７，３８に示すように、容器３は、有底円筒状である。容器３の亘面３ｃ（外周面）には、取っ手取付部９２が設けられている。取っ手取付部９２は、一例として容器３の周方向に略等間隔に複数（一例として四つ）設けられている。当該取っ手取付部９２には、取っ手部材９３が挿脱（着脱）可能な孔９２ａが設けられている。取っ手取付部９２と取っ手部材９３とは、ねじ結合であってもよい。
【０１０４】
取っ手部材９３は、一例として棒状である。孔９２ａに挿入された取っ手部材９３を、容器３の中心を通り複数の容器３の積み重ね方向に沿った中心軸回りの一方向に回転させることで、容器３がその中心軸周りの一方向に回転し容器３の雄ねじ部９０が当該容器の下段の容器３または載置部材６の雌ねじ部９１にねじ込まれる。一方、孔９２ａに挿入された取っ手部材９３を、容器３の中心を通り複数の容器３の積み重ね方向に沿った中心軸回りの他方向に回転させることで、容器３がその中心軸周りの他方向に回転し容器３の雄ねじ部９０が当該容器３の下段の容器３または載置部材６の雌ねじ部９１から離脱される。
【０１０５】
また、取っ手部材９３は、孔９２ａに挿入される基部９３ａと、この基部９３ａに接続された取っ手部９３ｂと、を有している。取っ手部９３ｂは、操作者による把持が可能である。本実施形態では、一例として、取っ手部９３ｂと基部９３ａとの間に規定以上の力（剪断力）が作用すると取っ手部９３ｂが基部９３ａに対して折れ曲がる。取っ手部材９３は、蓄電池装置１の組立後は所定の保管場所に保管されうる。
【０１０６】
以上説明したように、本実施形態では、容器３に設けられた雄ねじ部９０および雌ねじ部９１によって、容器３同士が結合されている。したがって、容器３同士を強固に結合することができる。
【０１０７】
＜第１２実施形態＞
本実施形態は、図３９〜４１に示すように、容器３の構成が第１１実施形態と異なる。本実施形態では、容器３は、概略直方体状の外観を呈している。容器３は、室３ｋと雄ねじ部９０と取っ手取付部９２とが設けられた本体９５（第一部材）と、雄ねじ部９１が設けられた着脱体９６（第二部材）とを有している。本体９５と着脱体９６とは、ボルト９７（雄ねじ部材）によって結合されている。
【０１０８】
本体９５は、方形の外観を呈しており、室３ｋも方形となっている。本体９５の上端部９５ａには、着脱体９６を着脱可能に保持する保持部９５ｂが設けられている。また、本体の上端部９５ａには、ボルト９７と結合した雌ねじ部９５ｃ（ねじ孔）が設けられている。また、本体９５の下面３ａは、リフター２００の昇降する一対の支持部２０１の着脱が可能となっている。
【０１０９】
着脱体９６は、概略矩形板状の外観を呈している。着脱体９６は、本体９５の保持部９５ｂに挿入されている。着脱体９６は、当該着脱体９６を貫通したボルト９７によって本体９５に結合されている。ボルト９７の頭部９７ａは、着脱体９６に設けられた凹部９６ａ内に収容されており、頭部９７ａは、上面３ｂより下の位置に位置され、上面３ｂから突出しない。
【０１１０】
以上説明したように、本実施形態では、容器３に設けられた雄ねじ部９０および雌ねじ部９１によって、容器３同士が結合されている。したがって、容器３同士を強固に結合することができる。
【０１１１】
また、本実施形態では、本体９５が方形であり、室３ｋが方形である。したがって、本実施形態によれば、一例として、室３ｋにおける方形形状の組電池４の収納効率を高くすることができる。
【０１１２】
以上のとおり、上記各実施形態および変形例によれば、一例として、床等の設置対象１００により多くの組電池４（電池）を設置することができる。
【０１１３】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態、変形例およびそれらの変形は、発明の範囲や要旨に含まれるとともに、特許請求の範囲に記載された発明とその均等の範囲に含まれる。また、各構成要素のスペック（構造や、種類、方向、形状、大きさ、長さ、幅、厚さ、高さ、数、配置、位置、材質等）は、適宜に変更して実施することができる。
【符号の説明】
【０１１４】
１…蓄電池装置、３…容器、３ｃ…亘面、３ｃ１…前面（第一面）、３ｃ２…後面（第二面）、３ｃ３…側面（第三面）、３ｄ…外面、３ｅ…下端部、３ｆ…上端部、３ｈ…囲壁、３ｈ１…前壁、３ｈ２…後壁、３ｈ３…側壁、３ｉ…下張出部（第一連結部）、３ｊ…上張出部（第一被支持部、第二連結部）、３ｉ４…孔（第一開口部）、３ｊ５…孔（第二開口部）、３ｊ６…ガイド部、３ｍ…受入部、３ｍ４…雌ねじ部、４…組電池（電池）、６…載置部材、６ｅ…凹部（第二被支持部）、７…覆部材、７ｂ…上面、２１…電気回路、２２…回路遮断部、２５…通信コネクタ（第一接続部）、２６…電極ターミナル（第二接続部）、３２…通信コネクタ（第三接続部）、４５…コネクタ、４６…コネクタ、５０…ナット（第一ねじ）、５１…ボルト（第二ねじ）、５２…工具、５３ａ…回転体、５３ｂ…回転体保持部、５５…スタッドボルト（ねじ）、５６…ナット（ねじ）、６０…スタッドボルト（ねじ）、６１…ナット（ねじ）、６５…ボルト（ねじ）、７５…調整ねじ、８０，８０Ａ…楔構造、８１…楔部、８２…差込部、８５…挿入部、８６…受入部、８７…楔部材、９０…雄ねじ部、９１…雌ねじ部、２００…リフター、２０１…支持部。
【図１】
2014175170.tif 000003
【図２】
2014175170.tif 000004
【図３】
2014175170.tif 000005
【図４】
2014175170.tif 000006
【図５】
2014175170.tif 000007
【図６】
2014175170.tif 000008
【図７】
2014175170.tif 000009
【図８】
2014175170.tif 000010
【図９】
2014175170.tif 000011
【図１０】
2014175170.tif 000012
【図１１】
2014175170.tif 000013
【図１２】
2014175170.tif 000014
【図１３】
2014175170.tif 000015
【図１４】
2014175170.tif 000016
【図１５】
2014175170.tif 000017
【図１６】
2014175170.tif 000018
【図１７】
2014175170.tif 000019
【図１８】
2014175170.tif 000020
【図１９】
2014175170.tif 000021
【図２０】
2014175170.tif 000022
【図２１】
2014175170.tif 000023
【図２２】
2014175170.tif 000024
【図２３】
2014175170.tif 000025
【図２４】
2014175170.tif 000026
【図２５】
2014175170.tif 000027
【図２６】
2014175170.tif 000028
【図２７】
2014175170.tif 000029
【図２８】
2014175170.tif 000030
【図２９】
2014175170.tif 000031
【図３０】
2014175170.tif 000032
【図３１】
2014175170.tif 000033
【図３２】
2014175170.tif 000034
【図３３】
2014175170.tif 000035
【図３４】
2014175170.tif 000036
【図３５】
2014175170.tif 000037
【図３６】
2014175170.tif 000038
【図３７】
2014175170.tif 000039
【図３８】
2014175170.tif 000040
【図３９】
2014175170.tif 000041
【図４０】
2014175170.tif 000042
【図４１】
2014175170.tif 000043